(57)【特許請求の範囲】
【請求項１】
筺体内をシンブルプレートにより上下に区分し、下方を含塵空気室、上方を浄化空気室とし、シンブルプレートに多数の有底状のバッグフィルタを吊り下げ、含塵空気室に導入された含塵空気をバッグフィルタにより濾過し浄化空気室を介して排出する集塵機において、上記バッグフィルタの開口部よりレーザ光を垂直に投光し、バッグフィルタの底部の芯振れを測定し、底部中心をこのレーザ光の照射位置に調整することを特徴とする集塵機におけるバッグフィルタの芯出し方法。
【請求項２】
筺体内をシンブルプレートにより上下に区分し、下方を含塵空気室、上方を浄化空気室とし、シンブルプレートに多数の有底状のバッグフィルタを吊り下げ、含塵空気室に導入された含塵空気をバッグフィルタにより濾過し浄化空気室を介して排出する集塵機において、該フィルタの開口部に配置され垂直に投光するレーザ光投光器と、該レーザ光に対するバッグフィルタ底部の芯振れを測定する測定器を備え、バッグフィルタの底部中心とレーザ光との芯振れを測定し、バッグフィルタの取付け調整機構により底部中心をレーザ照射位置に調整することを特徴とする集塵機におけるバッグフィルタの芯出し装置。
【請求項３】
レーザ光投光器は水準器を備えた取付け台に垂直に取付けられたことを特徴とする請求項２記載の集塵機におけるバッグフィルタの芯出し装置。
【請求項４】
測定器は照明灯とＣＣＤカメラとを備えたことを特徴とする請求項２又は３記載の集塵機におけるバッグフィルタの芯出し装置。
【発明の詳細な説明】
【０００１】
【発明の属する技術分野】
本発明は集塵機、特にバッグフィルタを備えた集塵機において、各バッグフィルタの接触を防止するため、各バッグフィルタをシンブルプレートに垂直に取付けるための芯出し方法及びその装置に関するものである。
【０００２】
【従来の技術】
上記集塵機の一例を図２及び図３に示す。図において集塵機１は筺体２内をシンブルプレート３により上下に区分し、下方を含塵空気室４、上方を浄化空気室５とし、シンブルプレート３には多数のバッグフィルタ１０を吊り下げ、含塵空気室４内に導入される含塵空気をバッグフィルタ１０により濾過し、浄化空気室５を経て排出するようにしたもので、バッグフィルタには蓄積塵埃を除去するため、逆噴射パイプ１２と、各バッグフィルタ１０にはノズル１３とを備え、かつバッグフィルタ１０内には所定の膨らみを保持するため、上端を上記ノズル１３に取付けられるケージ１１が挿入されている。６は排気フアン、１４は逆噴射用高圧空気供給管、１５は各逆噴射パイプへの圧力空気供給切り替え弁を示す。また１６はバッグフィルタ１０の上部取付けフランジ、１７は締め付けバンド、１９はノズルの上部フランジ１８に取付けられる芯出し用ボルトをそれぞれ示す。
【０００３】
これにより含塵空気室内に導入された含塵空気は、バッグフィルタ１０により濾過され、該バッグフィルタに付着した塵埃は、所定負圧に到達したとき、自動的に逆噴射パイプ１２よりの逆噴射により除去される。
【０００４】
【発明が解決しようとする課題】
ところで、上記バッグフィルタは、多数近接して配備されており、通常芯出し用ボルト１９により調整され、隣接するバッグフィルタと接触しないように取付けられている。しかしその作業は２名で行い、その内１名は含塵空気室４のホッパ４ａ内に入り、バッグフィルタ底部の偏りを確認し、他のシンブルプレート３上の作業者に連絡し、上記芯出し用ボルト１９を調整して行われている。
【０００５】
この作業は極めて非能率的であり、しかも運転後のバッグフィルタの交換の際に行う場合には、ホッパ内には塵埃が残存し、ダイオキシン等の有害物質の対策を必要とする等の問題がある。
本発明はかゝる点に鑑み、シンブルプレート上の作業者のみでバッグフィルタの芯出し作業を効率よく行うことを目的とする。
【０００６】
【課題を解決するための手段】
上記目的を達成するため、第１の発明は集塵機におけるバッグフィルタの芯出し方法に関するもので、筺体内をシンブルプレートにより上下に区分し、下方を含塵空気室、上方を浄化空気室とし、シンブルプレートに多数の有底状のバッグフィルタを吊り下げ、含塵空気室に導入された含塵空気をバッグフィルタにより濾過し浄化空気室を介して排出する集塵機において、上記バッグフィルタの開口部よりレーザ光を垂直に投光し、バッグフィルタの底部の芯振れを測定し、底部中心をこのレーザ光の照射位置に調整することを特徴とする。
【０００７】
上記の構成からなる本発明の方法は、垂直に照射するレーザ光を利用し、バッグフィルタの底部の芯振れを測定し、底部中心をこのレーザ光の照射位置に調整することにより芯出しを行うようにしたから、その操作はバッグフィルタ上方から簡単に行うことができる。
【０００８】
第２の発明は上記方法を実施する装置に関するもので、筺体内をシンブルプレートにより上下に区分し、下方を含塵空気室、上方を浄化空気室とし、シンブルプレートに多数の有底状のバッグフィルタを吊り下げ、含塵空気室に導入された含塵空気をバッグフィルタにより濾過し浄化空気室を介して排出する集塵機において、該フィルタの開口部に配置され垂直に投光するレーザ光投光器と、該レーザ光に対するバッグフィルタ底部の芯振れを測定する測定器を備え、バッグフィルタの底部中心とレーザ光との芯振れを測定し、バッグフィルタの取付け調整機構により底部中心をレーザ照射位置に調整することを特徴とする。
【０００９】
上記の構成からなる本発明は、バッグフィルタの開口部に配置され垂直に投光するレーザ光投光器と、該バッグフィルタ内部を測定する測定器を備えたことにより、バッグフィルタの底部中心とレーザ光との芯ぶれを調整機構により調整することにより、該バッグフィルタをシンブルプレートに直角に取付けた、所謂芯出し作業を簡単に行うことができる。
【００１０】
また第３の発明は、上記レーザ光投光器は水準器を備えた取付け台に垂直に取付けられたことを特徴とする。
【００１１】
上記の構成からなる本発明は、レーザ光は水準器を備えたことにより、垂直方向、即ち水平のシンブルプレートに直角に正確に調整し投光することができる。
【００１２】
また第４の発明は、測定器は照明灯とＣＣＤカメラとを備えたことを特徴とする。
【００１３】
上記の構成からなる本発明は、バッグフィルタ内を照射することにより、レーザ光の照射に対する芯振れをＣＣＤカメラにより遠隔地より確実に知ることができる。
【００１４】
【発明の実施の形態】
以下、本発明の実施の形態を図１に基づいて説明する。図において集塵機１は前記従来例と同様であり、同一部品に対しては同一符号を付して説明を省略する。
【００１５】
図において、２０は本発明のバッグフィルタ芯出し装置を示し、該芯出し装置２０は取付け台２１に水準器２２と、レーザ光投光器２３と、照明器２４と、撮影機２５とを備え、取付け台２１は３個の調整ボルト２６によりシンブルプレート３上に載置される。撮影機２５はＣＣＤカメラを使用することが好ましい。
【００１６】
この取付け台２１は水準器２２により調整ボルト２５を調整して取付け台２１水平に調整し、レーザ光投光器２３，照明器２４及びＣＣＤカメラ２５を取付け台２１の下面に垂直に取付ける。レーザ光投光器２３を下げ振り式に取付けたときは水準器によることなく垂直に取付けることは可能である。また、レーザ光投光器２３の出力によっては照明器２４による明るさによってかえってレーザ光が判別できない場合は照明器２４を取付けることを要さない。
【００１７】
上記構成において、芯出し作業に際しては、バッグフィルタ１０を芯出し用ボルト１９で仮に固定した後、照明器２４によりバッグフィルタ内を照射すると共に、レーザ光を照射し、ＣＣＤカメラ２５により測定する。ついでバッグフィルタ１０を芯出し用ボルト１９により該フィルタの底部の中心をレーザ光に合致するように調整する。
【００１８】
なお、この際バッグフィルタの底部には、その中心を表示する部材、例えば鏡３０等を取付けることが好ましい。
【００１９】
【発明の効果】
以上の如く本発明によるときは、バッグフィルタの芯出し方法として、バッグフィルタの開口部よりレーザ光を垂直に投光し、バッグフィルタの底部の芯振れを測定し、底部中心をこのレーザ光の照射位置に調整するようにしたから、その作業はバッグフィルタを取付けるシンブルプレート上の作業のみで行うことができ、従来の上下の２名による方法に比して極めて能率的かつ容易に行うことができる。
また、請求項２記載の発明によれば、上記芯出し方法を実施する装置として、該フィルタの開口部に配置され垂直に投光するレーザ光投光器と、該レーザ光に対するバッグフィルタ底部の芯ぶれを測定する測定器を備え、バッグフィルタの底部中心とレーザ光との芯振れを測定し、バッグフィルタの取付け調整機構により底部中心をレーザ照射位置に調整するようにしたから、その測定及び調整を確実かつ容易に行うことができる。
また、請求項３記載の発明によれば、上記レーザ光投光器は水準器を備えた取付け台に取付けられたことにより、レーザ光投光器は正確に垂直方向に投光することができる。
また、請求項４記載の発明によれば、測定器は照明灯とＣＣＤカメラとを備えたことにより、測定は離れた場所においても容易に測定することができる。
【図面の簡単な説明】
【図１】本発明の集塵機におけるバッグフィルタの芯出し装置の一実施例を示し、縦断説明図である。
【図２】集塵機の縦断説明図である。
【図３】バッグフィルタの取付け要領説明図である。
【符号の説明】
１    集塵機
２    筺体
３    シンブルプレート
１０  バッグフィルタ
２０  バッグフィルタ芯出し装置
２１  取付け台
２２  水準器
２３  レーザ光投光器
２４  照明器
２５  撮影機
【図１】
0003643548.tif 000002
【図２】
0003643548.tif 000003
【図３】
0003643548.tif 000004